(57)【要約】      （修正有）【課題】コンロ天板を覆った閉状態たる水平姿勢とこれから上方に回動した開状態たる起立姿勢との間で上下に回動する蓋体を備えた、起立姿勢にある蓋体が、不意に、鍋や燃焼中のガスバーナ上に転倒するのを防止するコンロを提供する。【解決手段】前記蓋体(4)を前記開状態にロックしたロック状態とロックを解除したロック解除状態とに変化するロック機構(6)と、前記コンロ天板(30)に載置された鍋(9)を検知する鍋検知手段(10)と、前記鍋検知手段(10)と前記ロック機構を連動させる連動手段(12)が設けられ、前記連動手段(12)は、前記鍋検知手段(10)が前記鍋(9)を検知したときに前記ロック機構(6)を前記ロック解除状態からロック状態に変化させること。【選択図】図５
2006177633.tif 000002
【特許請求の範囲】
【請求項１】
コンロ天板を覆った閉状態たる水平姿勢とこれから上方に回動した開状態たる起立姿勢との間で上下に回動する蓋体を備えたコンロに於いて、
前記蓋体を前記開状態にロックしたロック状態とロックを解除したロック解除状態とに変化するロック機構と、
前記コンロ天板に載置された鍋を検知する鍋検知手段と、
前記鍋検知手段と前記ロック機構を連動させる連動手段が設けられ、
前記連動手段は、前記鍋検知手段が前記鍋を検知したときに前記ロック機構を前記ロック解除状態からロック状態に変化させる、コンロ。
【請求項２】
請求項１に記載のコンロに於いて、
前記鍋検知手段は、前記コンロ天板に載置された鍋の鍋底で押し込まれ且つバネで上方に付勢された昇降部材であり、
前記連動手段は、前記昇降部材の降下移動に連動して前記ロック機構を前記ロック解除状態からロック状態に変化させる、コンロ。
【請求項３】
請求項１又は請求項２に記載のコンロに於いて、
前記ロック機構は、昇降移動する蓋係合部を備えており、
前記蓋係合部は、前記ロック解除状態では閉状態たる水平姿勢にある蓋体の下方位置に降下する一方、前記ロック状態では開状態たる起立姿勢にある前記蓋体の前面に対向する上方位置に上昇する、コンロ。
【請求項４】
請求項２に記載のコンロに於いて、
前記ロック機構は、昇降移動する蓋係合部を備えており、
前記蓋係合部は、前記ロック解除状態では閉状態たる水平姿勢にある蓋体の下方位置に降下する一方、前記ロック状態では開状態たる起立姿勢にある前記蓋体の前面に対向する上方位置に上昇するものであり、
前記連動手段は、入力端が前記昇降部材で下方に押された際に出力端が前記蓋係合部を前記下方位置から前記上方位置に上昇させるように上下回動する回動レバーである、コンロ。
【請求項５】
コンロ天板を覆った閉状態たる水平姿勢とこれから上方に回動した開状態たる起立姿勢との間で上下に回動する蓋体を備えたコンロに於いて、
前記コンロ天板に載置された鍋を加熱するガスバーナの炎を検知する炎検知器と、
前記蓋体を前記開状態にロックしたロック状態とロックを解除したロック解除状態とに変化するロック機構と、
前記炎検知器の炎検知信号により前記ロック機構を前記ロック状態に維持する付勢手段を具備する、コンロ。
【請求項６】
請求項５に記載のコンロに於いて、
前記ロック機構は、昇降移動する蓋係合部を備えており、
前記蓋係合部は、前記ロック解除状態では閉状態たる水平姿勢にある蓋体の下方位置に降下する一方、前記ロック状態では開状態たる起立姿勢にある前記蓋体の前面に対向する上方位置に上昇する、コンロ。
【請求項７】
コンロ天板を覆った閉状態たる水平姿勢とこれから上方に回動した開状態たる起立姿勢との間で上下に回動する蓋体と、
前記蓋体を開閉駆動する駆動モータと、を具備するコンロに於いて、
前記蓋体を開放する為の開蓋スイッチと、
前記蓋体を閉じる為の閉蓋スイッチと、
前記コンロ天板に載置された鍋を検知して鍋検知信号を出力する鍋検知器と、
前記蓋体を閉じる駆動モータの動作を阻止する安全スイッチと、を具備し、
前記鍋検知信号に応答して前記安全スイッチが作動する、コンロ。
【請求項８】
コンロ天板を覆った閉状態たる水平姿勢とこれから上方に回動した開状態たる起立姿勢との間で上下に回動する蓋体と、
前記蓋体を開閉駆動する駆動モータと、を具備するコンロに於いて、
前記蓋体を開放する為の開蓋スイッチと、
前記蓋体を閉じる為の閉蓋スイッチと、
前記コンロ天板に載置された鍋を加熱するガスバーナの炎を検知して炎検知信号を出力する炎検知器と、
前記蓋体を閉じる駆動モータの動作を阻止する安全スイッチと、を具備し、
前記炎検知信号に応答して前記安全スイッチが作動する、コンロ。
【請求項９】
請求項７又は請求項８に記載のコンロに於いて、
前記安全スイッチは、前記駆動モータへの電源をＯＮ・ＯＦＦするものである、コンロ。
【発明の詳細な説明】
【技術分野】
【０００１】
本発明は、コンロ天板を覆う開閉自在な蓋体を備えたコンロに関するものである。
【背景技術】
【０００２】
コンロ天板を覆う開閉自在な蓋体を備えたコンロとして特許文献１，２に記載されたものが知られている。
このコンロでは、ガスバーナを備えたコンロ本体の後部に蓋体が上下回動自在に軸支されており、該蓋体は、水平姿勢の閉状態（コンロ天板を覆った状態）とこれから後方傾斜状態まで起立回動した開状態との間で上下に回動し得るようになっている。
このものでは、コンロ使用時に、蓋体を起立させて開状態に維持すると、ガスバーナからの燃焼排気が蓋体で遮断されてその後方のキッチン壁に接触することがなく、該キッチン壁が熱的悪影響を受けない。又、コンロ不使用時には、蓋体を閉状態に倒すことによりガスバーナや五徳を隠蔽することができ、コンロ上面の意匠感を高めることができる。
【特許文献１】実公平１―１８９７０号公報
【特許文献２】実公昭６２−４６０８３号公報
【発明の開示】
【発明が解決しようとする課題】
【０００３】
しかしながら、上記従来のものでは、開状態に保持された蓋体に誤って調理者の手が衝突したり、又、風圧等が作用すると、燃焼中のガスバーナや鍋の上に蓋体が不意に倒れて危険であるという問題があった。
又、  労力の軽減を図る為に蓋体を電動で開閉する構成を採用する場合は、調理中に誤って閉蓋スイッチを操作すると、不意に、蓋体が鍋や燃焼中のガスバーナの上に倒れる問題がある。
本発明はかかる点に鑑みて成されたもので、
『コンロ天板を覆った閉状態たる水平姿勢とこれから上方に回動した開状態たる起立姿勢との間で上下に回動する蓋体を備えたコンロ』に於いて、起立姿勢にある蓋体が、不意に、鍋や燃焼中のガスバーナ上に転倒するのを防止することを課題とする。
【課題を解決するための手段】
【０００４】
［請求項１に係る発明］
上記課題を解決するための請求項１に係る発明の技術的手段は、
『前記蓋体を前記開状態にロックしたロック状態とロックを解除したロック解除状態とに変化するロック機構と、
前記コンロ天板に載置された鍋を検知する鍋検知手段と、
前記鍋検知手段と前記ロック機構を連動させる連動手段が設けられ、
前記連動手段は、前記鍋検知手段が前記鍋を検知したときに前記ロック機構を前記ロック解除状態からロック状態に変化させる』ことである。
上記技術的手段は次のように作用する。
蓋体を起立させて開状態にセットし、この状態でコンロ天板に鍋を載置すると、該鍋が鍋検知手段で検知される。
すると、連動手段は、前記鍋の検知に連動して前記ロック機構をロック解除状態からロック状態に変化させる。即ち、連動手段は、開状態にある蓋体がコンロ天板側へ向けて倒れるのを阻止する状態（ロック状態）にロック機構を変化させる。
これにより、コンロ天板に載置された鍋の上に蓋体が不意に転倒するのが防止できる。
一方、コンロ天板から鍋を降ろすと、鍋検知手段が鍋を検知しなくなり、これにより、連動手段がロック機構をロック解除状態に変化させる。すると、開状態にある蓋体を閉じ得る状態になり、これにより、蓋体を倒してコンロ天板を覆うことができる。
【０００５】
［請求項２に係る発明］
請求項１に係る発明に於いて、
『前記鍋検知手段は、前記コンロ天板に載置された鍋の鍋底で押し込まれ且つバネで上方に付勢された昇降部材であり、
前記連動手段は、前記昇降部材の降下移動に連動して前記ロック機構を前記ロック解除状態からロック状態に変化させる』ものとすることができる。
このものでは、コンロ天板に鍋を載置すると、バネで上方に付勢された昇降部材が鍋底で下方に押込まれる。
すると、連動手段は、前記昇降部材の降下移動に前記ロック機構を連動させ、該ロック機構で蓋体を開状態にロックした状態にする。これにより、コンロ天板に載置された鍋の上に蓋体が倒れるのを防止することができる。
一方、コンロ天板から鍋を降ろすと、鍋底で押し込まれていた昇降部材がバネの付勢力で上昇し、これに連動して、連動手段がロック機構をロック解除状態に変化させるから、蓋体を倒してコンロ天板を覆うことができる。
【０００６】
［請求項３に係る発明］
請求項１，２に係る発明に於いて、
『前記ロック機構は、昇降移動する蓋係合部を備えており、
前記蓋係合部は、前記ロック解除状態では閉状態たる水平姿勢にある蓋体の下方位置に降下する一方、前記ロック状態では開状態たる起立姿勢にある前記蓋体の前面に対向する上方位置に上昇する』ものとすることができる。
このものでは、ロック状態では、起立姿勢にある蓋体の前面にロック機構の蓋係合体が対向し、これにより、蓋体がコンロ天板側に転倒するのが阻止される。
【０００７】
［請求項４に係る発明］
請求項３に係る発明に於いて、
『前記ロック機構は、昇降移動する蓋係合部を備えており、
前記蓋係合部は、前記ロック解除状態では閉状態たる水平姿勢にある蓋体の下方位置に降下する一方、前記ロック状態では開状態たる起立姿勢にある前記蓋体の前面に対向する上方位置に上昇するものであり、
前記連動手段は、入力端が前記昇降部材で下方に押された際に出力端が前記蓋係合部を前記下方位置から前記上方位置に上昇させるように上下回動する回動レバーである』ものとすることができる。
このものでは、コンロ天板に載置される鍋の鍋底で昇降部材が押し込まれると、該昇降部材により、回動レバーの入力端が下方に押される。すると、回動レバーが上下に回動し、その出力端が上昇してロック機構の蓋係合部を起立姿勢にある蓋体の前面対向部まで上昇させる。これにより、起立姿勢にある蓋体がコンロ天板側に倒れるのが阻止される。
【０００８】
［請求項５に係る発明］
既述課題を解決する為の請求項５に係る発明の技術的手段は、
『コンロ天板を覆った閉状態たる水平姿勢とこれから上方に回動した開状態たる起立姿勢との間で上下に回動する蓋体を備えたコンロに於いて、
前記コンロ天板に載置された鍋を加熱するガスバーナの炎を検知する炎検知器と、
前記蓋体を前記開状態にロックしたロック状態とロックを解除したロック解除状態とに変化するロック機構と、
前記炎検知器の炎検知信号により前記ロック機構を前記ロック状態に維持する付勢手段を具備する』ことである。
このものでは、炎検知器がガスバーナの炎を検知すると、該検知信号に基づいて、付勢手段がロック機構をロック側に作動させ、これにより、ロック機構で蓋体が開状態にロックされる。よって、蓋体がコンロ天板側に転倒するのが防止される。
一方、ガスバーナが消火すると、付勢手段がロック機構をロック解除側に復帰させるから、蓋体を閉じることができる。
【０００９】
［請求項６に係る発明]
請求項５に係る発明に於いて、
『前記ロック機構は、昇降移動する蓋係合部を備えており、
前記蓋係合部は、前記ロック解除状態では閉状態たる水平姿勢にある蓋体の下方位置に降下する一方、前記ロック状態では開状態たる起立姿勢にある前記蓋体の前面に対向する上方位置に上昇する』ものとすることができる。
このものでは、ロック状態では、起立姿勢にある蓋体の前面にロック機構の蓋係合体が対向し、蓋体がコンロ天板側に転倒するのを阻止する。
【００１０】
［請求項７に係る発明］
請求項７に係る発明は、コンロ天板を覆う蓋体が電動開閉する形式のコンロに於いて、請求項１に係る発明と同様、蓋体が不意に閉動作する危険を防止することを課題とする。
請求項７に係る発明の技術的手段は、
『コンロ天板を覆った閉状態たる水平姿勢とこれから上方に回動した開状態たる起立姿勢との間で上下に回動する蓋体と、
前記蓋体を開閉駆動する駆動モータと、を具備するコンロに於いて、
前記蓋体を開放する為の開蓋スイッチと、
前記蓋体を閉じる為の閉蓋スイッチと、
前記コンロ天板に載置された鍋を検知して鍋検知信号を出力する鍋検知器と、
前記蓋体を閉じる駆動モータの動作を阻止する安全スイッチと、を具備し、
前記鍋検知信号に応答して前記安全スイッチが作動する』ことである。
このものでは、開蓋スイッチが操作されると駆動モータが作動し、これにより、蓋体が開動作する。
この開蓋状態でコンロ天板に鍋を載置すると、鍋検知器からの鍋検知信号に応答して安全スイッチが作動し、蓋体を閉駆動する駆動モータの動作が阻止される。従って、閉蓋スイッチが誤って操作されても、不意に、蓋体が閉動作しない。
【００１１】
［請求項８に係る発明］
請求項７に係る発明では、コンロ天板に載置される鍋を検知して蓋体をロック状態に維持したが、請求項８に係る発明のように、鍋を加熱するガスバーナの炎を検知して蓋体をロック状態に維持してもよい。
請求項８に係る発明の技術的手段は、
『コンロ天板を覆った閉状態たる水平姿勢とこれから上方に回動した開状態たる起立姿勢との間で上下に回動する蓋体と、
前記蓋体を開閉駆動する駆動モータと、を具備するコンロに於いて、
前記蓋体を開放する為の開蓋スイッチと、
前記蓋体を閉じる為の閉蓋スイッチと、
前記コンロ天板に載置された鍋を加熱するガスバーナの炎を検知して炎検知信号を出力する炎検知器と、
前記蓋体を閉じる駆動モータの動作を阻止する安全スイッチと、を具備し、
前記炎検知信号に応答して前記安全スイッチが作動する』ことである。
このものでは、炎検知器の炎検知信号により安全スイッチが作動して駆動モータの動作を阻止するから、請求項７の発明と同様、閉蓋スイッチが誤って操作されても、不意に、蓋体がコンロ天板側に倒れない。
【００１２】
［請求項９に係る発明］
請求項７，８に係る発明に於いて、
『前記安全スイッチは、前記駆動モータへの電源をＯＮ・ＯＦＦするものである』構成では、安全スイッチの作動により駆動モータへの電源がＯＦＦされ、これにより、蓋体の閉動作が防止される。
【発明の効果】
【００１３】
本発明は次の特有の効果を有する。
請求項１〜４に係る発明では、コンロ天板上の鍋を検知することにより、蓋体をロック機構で開状態にロックするから、ガスバーナの燃焼如何に関わらず、コンロ天板に載置された鍋の上に、蓋体が不意に転倒する危険が防止できる。
請求項５に係る発明では、ガスバーナの炎を検知して蓋体を開状態に維持する。従って、フライパン等の鍋をコンロ天板から持ち上げた場合でも、ガスバーナが燃焼している限り蓋体が閉方向に転倒しない。
請求項６に係る発明では、起立姿勢（開状態）の蓋体の前面対向部に昇降する蓋係合体が蓋体に直接係合するから、確実なロックが行なえる。
請求項７に係る発明では、コンロ天板上の鍋やガスバーナの炎を検知することにより、蓋体を閉じる駆動モータの動作を阻止する。従って、閉蓋スイッチが誤って操作されても、コンロ天板に載置された鍋の上に蓋体が不意に倒れるのを防止することができる。
【発明を実施するための最良の形態】
【００１４】
以下に、本発明を実施するための最良の形態について添付図面を参照しながら説明する。
［第１実施形態]
図１は、システムキッチンのカウンタートップ(K)に開設された開口(K1)に落とし込み状態に装着されるドロップインコンロの斜視図であり、コンロ天板(30)の後端には、閉状態（コンロ天板(30)を覆った状態）たる水平姿勢とこれから上方に回動した開状態たる起立姿勢との間で上下に回動する蓋体(4)が支軸(40)(40)で支持されている。
蓋体(4)は、下方に開放した扁平な矩形箱状に形成されていると共に、その前辺板(43)には手掛用切欠(45)が開設されている。
コンロ天板(30)には、五徳(31)(32)(33)が載置されていると共に、その下方にはガスバーナ(34)(35)(36)が臨んでおり、更に、コンロ本体(3)の正面中央に設けられたグリル扉(20)の近傍のコンロ操作部(21)にはガスバーナ(34)(35)(36)の点・消火と火力調整機能を兼備した操作摘み(24)(25)(26)が配設されている。
【００１５】
図２は、図１に於いて蓋体(4)を閉じた状態のＩＩ−ＩＩ線断面図である。
コンロ天板(30)に開設されたバーナ用開口(37)には、五徳(31)が着脱自在に装着されており、その下方に位置するガスバーナ(34)は、環状のバーナボディ(341)とこれにガス供給する混合管(342)を備えている。ガスバーナ(34)はバーナボディ(341)の内周に炎孔(340)が開口する内炎式のガスバーナである。
図２に示すように、バーナボディ(341)の中央には、請求項２の既述発明特定事項たる昇降部材に対応する昇降軸(10)が上下に貫通している。
【００１６】
具体的には、図３に示すように、バーナボディ(341)の内周縁に上方から係合される汁受皿(50)の中央筒(50a)の頂板には、筒状ホルダ(51)を挿通させる透孔(50b)が開設されている。筒状ホルダ(51)は、固定脚(54)(54)に載置固定されていると共に、筒状ホルダ(51)内には、昇降軸(10)が昇降自在に貫通している。
昇降軸(10)の上部外周に張り出したフランジ(52)と筒状ホルダ(51)の底板(511)の間には、バネ(53)が介装されており、これにより、昇降軸(10)が上方に付勢されている。
昇降軸(10)の下端に形成されたクビレ部(100)には、支軸(13)で上下回動自在に支持された回動レバー(12)の入力端(121)のＵ字状切欠部(120)（図４，図５参照）が係合しており、これにより、昇降軸(10)の昇降動作に連動して回動レバー(12)が上下回動するようになっている。尚、本実施の形態では、上記回動レバー(12)が請求項１の発明特定事項たる連動手段に対応する。
【００１７】
図５に示すように、回動レバー(12)の出力端(122)は、蓋体(4)を開状態たる起立姿勢にロックする為のロック機構(6)の下方に位置している。
ロック機構(6)は、蓋体(4)を開状態にロックしたときに蓋体(4)の前面に対向する蓋係合部(61)と、その下端から前方に屈曲した水平部(62)と、この先端から下方に屈曲した鉛直脚(63)から成るクランク片(A)を備えている。
鉛直脚(63)の下端には、回動レバー(12)の出力端(122)に上方から当接する水平軸(64)が突設されており、クランク片(A)の鉛直脚(63)は、一対のガイド片(65)(65)で上下に案内されながら排気ガード(38)のサイド孔(380)内を昇降するようになっている。クランク片(A)が最も降下した状態（ロック解除状態）では、その上端の蓋係合部(61)は閉状態にある蓋体(4)（図５の想像線参照）の下方に位置するようにクランク片(A)の移動範囲が設定されている。
クランク片(A)の下部には磁性体で構成された吸着片(A1)が設けられており、吸着片(A1)は既述発明特定軸たる付勢手段に対応する電磁石(66)で上方に吸着されるようになっている。尚、電磁石(66)は、ガスバーナ(35)(36)の炎を検知する熱電対（図示せず）の起電力によっても励磁される構成になっている。
【００１８】
次に、蓋体(4)を回動自在に支持する支持構造を説明する。
図２に示すように、コンロ本体(3)のケーシング(39)の後板(390)には、ビス(41)で固定された左右一対のブラケット(42)(42)（図１参照）が設けられており、ブラケット(42)(42)には蓋体(4)の側辺板(44)(44)が支軸(40)(40)で回動自在に支持されている。これにより、蓋体(4)が支軸(40)(40)を支点として、水平姿勢の閉状態から図１の起立姿勢（開状態）に上下に回動可能になっている。
尚、ガスバーナ(35)(36)の中央部にも、上記昇降軸(10)と同様な昇降軸(15)(16)が設けられており、該昇降軸(15)(16)は上記回動レバー(12)と同様の回動レバー（図示せず）を介してロック機構(6)のクランク片(A)に連結されている。従って、昇降軸(15)(16)が降下すると、これらに対応する回動レバーを介してクランク片(A)が持ち上げられて蓋体(4)が開状態にロックされる。
【００１９】
次に、本実施の形態に係るコンロの使用の実際を説明する。
図２の閉状態から蓋体(4)を上方に回動させて同図の想像線で示す開状態にする。
次に、被加熱物たる鍋(9)を五徳(31)に載置すると、図５に示すように、鍋(9)の鍋底(91)で昇降軸(10)の上端が押し込まれて回動レバー(12)の入力端(121)が最降下位置まで移動する。これにより、回動レバー(12)が同図の想像線の姿勢から実線の姿勢に変化し、回動レバー(12)の出力端(122)がロック機構(6)のクランク片(A)下端の水平軸(64)部分を持ち上げる。すると、想像線の降下位置にあったクランク片(A)がガイド片(65)(65)に案内されて上昇し、クランク片(A)の上端の蓋係合部(61)が蓋体(4)の前面に対向した最上昇位置（ロック位置）に到達する（図５の実線の状態）。この状態では、蓋体(4)の下端にクランク片(A)が係合したロック状態になり、これにより、風圧等で蓋体(4)が鍋(9)上に倒れる危険が防止できる。
【００２０】
本実施の形態に係るコンロは、五徳(31)に鍋(9)が載置されているか否かに関わらず、ガスバーナ(34)が燃焼すると蓋体(4)が開状態にロックされるようになっている。具体的には、ガスバーナ(34)が燃焼するとその炎で加熱される熱電対(71)の起電力が増幅回路(69)で増幅され、この増幅電力で電磁石(66)が励磁される。すると、電磁石(66)により、クランク片(A)の吸着片(A1)が想像線の位置（ロック解除状態の位置）から実線の位置まで吸着されて上昇し、クランク片(A)の上端の蓋係合部(61)が蓋体(4)の前面に対向する。これにより、ロック状態になって蓋体(4)が不意に閉動作することがなくなる。
次に、ガスバーナ(34)を消火させた後に鍋(9)を五徳(31)から降ろすと、昇降軸(10)がバネ(53)の付勢力で上昇し、この下端に係合した回動レバー(12)の入力端(121)が持ち上げられる。これにより、回動レバー(12)が支軸(13)を支点に回動してその出力端(122)が降下し、出力端(122)で支持されていたクランク片(A)が図５の想像線の状態（図２の状態）まで降下する。この状態では、クランク片(A)の蓋係合部(61)は、水平姿勢（閉状態）にセットされた場合に於ける蓋体(4)の下方に退避し、ロック機構(6)がロック解除状態になる。従って、蓋体(4)を閉じることができる。
【００２１】
[第２実施形態]
次に、第２実施形態を図６〜図８に基づいて説明する。
図６及び図８（図６のＶＩＩＩ−ＶＩＩＩ線断面図）に示すように、昇降軸(10)の下方には鍋検知器たるＯＮ・ＯＦＦスイッチ(80)が配設されていると共に、蓋体(4)は駆動モータ(81)で開閉駆動されるようになっている。尚、本実施の形態では駆動モータ(81)としては直流モータが使用されているが、後述する図７の回路を適宜変更することにより交流モータを使用してもよい。
コンロ本体(3)のケーシング(39)の後板(390)に固定されたブラケット(46)には駆動モータ(81)が取り付けられていると共に、駆動モータ(81)の回転軸(810)に固定された駆動歯車(811)は、ブラケット(46)に回転自在に保持された支軸(82)に取り付けられた従動歯車(821)に噛み合っている。又、支軸(82)の外端部(822)は、蓋体(4)の側辺板(44)に回り止め状態に嵌入されており、その先端のネジ部(823)に螺合されるナット(824)と挟圧フランジ(825)で前記側辺板(44)が挟圧されている。
【００２２】
図６に示すように、蓋体(4)の回動域には、閉状態（水平姿勢）にある蓋体(4)の下面に当接してＯＮ信号を出す閉リミットスイッチ(72)と、開状態（起立姿勢）にある蓋体(4)の背面に当接してＯＮ信号を出す開リミットスイッチ(73)が設けられている。
コンロ本体(3)のコンロ操作部(21)には蓋体(4)を開閉させるときに操作する開蓋スイッチ(74)と閉蓋スイッチ(75)が設けられており、これら開閉スイッチ(74)(75)とガスバーナ(34)の炎検知センサたる熱電対(71)の出力等は、図７の制御回路で処理される。
図７に示すように、開蓋スイッチ(74)でセットされる第１フリップフロップ(76)のリセット端子には開リミットスイッチ(73)の出力が印加されている一方、開蓋スイッチ(75)でセットされる第２フリップフロップ(77)のリセット端子には閉リミットスイッチ(72)の出力が印加されている。
【００２３】
第１フリップフロップ(76)の出力でＯＮ・ＯＦＦされる第１トランジスタ(78)のコレクタ回路には第１リレー(79)が挿入されていると共に、第２フリップフロップ(77)の出力でＯＮ・ＯＦＦされる第２トランジスタ(84)のコレクタ回路には第２リレー(85)が挿入されている。
第１リレー(79)の第１出力接点(791)と第２リレー(85)の第２出力接点(852)は直列接続されている一方、第２リレー(85)の第１出力接点(851)と常閉の電磁スイッチ(701)(既述発明特定事項たる「安全スイッチ」に対応する。)とＯＮ・ＯＦＦスイッチ(80)と更に第１リレー(79)の第２出力接点(792)は直列接続されている。前記電磁スイッチ(701)は、熱電対(71)の起電力で励磁される電磁石(70)で開閉されるものである。
そして、第１出力接点(791)と第２出力接点(852)の中間と、ＯＮ・ＯＦＦスイッチ(80)と第２出力接点(792)の中間とを繋ぐ回路には駆動モータ(81)が挿入されている。
【００２４】
このものでは、開蓋スイッチ(74)が操作されると第１フリップフロップ(76)の出力で第１トランジスタ(78)がＯＮ動作し、そのコレクタ回路に挿入された第１リレー(79)が付勢されてその第１，第２出力接点(791)(792)が閉じる。すると、＋電源端子(87)→第１出力接点(791)→駆動モータ(81)→第２出力接点(792)→−電源端子(88)の経路で電流が流れて駆動モータ(81)が正転し、これにより、駆動モータ(81)の回転が駆動歯車(811)及び従動歯車(821)を介して支軸(82)に伝達され、蓋体(4)が上方に回動して開動作する。蓋体(4)が起立姿勢の開状態に達すると、蓋体(4)の背面で開リミットスイッチ(73)が投入されてＯＮ信号を出力し、これが第１フリップフロップ(76)のリッセット端子に印加される。すると、第１トランジスタ(78)がＯＦＦ状態に復帰して第１リレー(79)の第１，第２出力接点(791)(792)が開き、駆動モータ(81)が停止する。
【００２５】
次に、コンロが不使用状態（五徳(31)に鍋(9)を載置せず、且つガスバーナ(34)を消火させた状態）で開蓋スイッチ(75)を操作すると、図７の第２フリップフロップ(77)が付勢されて第２トランジスタ(84)がＯＮ状態になり第２リレー(85)の第１，第２出力接点(851)(852)が閉成される。すると、＋電源端子(87)→第１出力接点(851)→電磁スイッチ(701)→ＯＮ・ＯＦＦスイッチ(80)→駆動モータ(81)→第２出力接点(852)→−電源端子(88)の経路で電流（蓋体(4)の開放時とは逆の電流）が流れ、これにより、蓋体(4)が下方に回動して閉動作する。そして、蓋体(4)の下面が閉リミットスイッチ(72)に当接してこれがＯＮ状態になると、第２フリップフロップ(77)がリセットされて第２トランジスタ(84)がＯＦＦ状態に復帰し、第２リレー(85)の第１，第２出力接点(851)(852)が開いて駆動モータ(81)が停止する。これにより、蓋体(4)が閉状態に復帰される。
【００２６】
一方、蓋体(4)が開放されている状態で五徳(31)に鍋(9)を載置すると、既述第１実施形態と同様に鍋底(91)で昇降軸(10)が押し下げられ、該昇降軸(10)の下端がＯＮ・ＯＦＦスイッチ(80)を押す。すると、図７に示すＯＮ・ＯＦＦスイッチ(80)が開く。従って、五徳(31)に鍋(9)が載置されている状態では、誤って開蓋スイッチ(75)が操作されても駆動モータ(81)には図７に於いて左向きの電流（蓋体(4)を閉成させる方向の電流）が流れず、該蓋体(4)が不意に閉じる心配がない。
又、ガスバーナ(34)を燃焼させると、熱電対(71)の起電力を増幅する増幅回路(69)の出力で電磁石(70)が励磁され（図７参照）、電磁スイッチ(701)が開く。従って、ガスバーナ(34)が燃焼しているときも駆動モータ(81)には、蓋体(4)を閉成させる方向の電流が流れないから、誤って開蓋スイッチ(75)が操作されても蓋体(4)が不意に閉じる心配がない。
【００２７】
［その他］
１．第２実施形態のものでも、第１実施形態のロック機構(6)を組み込むことにより、開状態に起立した蓋体(4)に風圧等が作用してこれが閉じるのを防止してもよい。
２．第１実施形態の回動レバー(12)に代えて、昇降軸(10)の下端で押される図６のＯＮ・ＯＦＦスイッチ(80)を設けてもよい。ＯＮ・ＯＦＦスイッチ(80)が昇降軸(10)の下端で押されて鍋検知信号を出力したときは、該鍋検知信号を増幅し、これにより、図２の電磁石(66)を励磁することによりクランク片(A)の吸着片(A1)を上方に吸着保持する。
又、昇降軸（10）に代えて、鍋(9)の有無を検知する近接スイッチを設け、この近接スイッチによる鍋検知信号を増幅することにより、電磁石(66)でクランク片(A)の吸着片(A1)を吸着してもよい。
【図面の簡単な説明】
【００２８】
【図１】本発明の実施の形態に係るドロップインコンロの外観斜視図
【図２】本発明の第１実施形態に係るドロップインコンロの要部の断面図
【図３】昇降軸(10)の配設部の拡大図
【図４】回動レバー(12)と昇降軸(10)の関係説明図
【図５】第１実施形態に係るドロップインコンロに於いて蓋体(4)を開放した状態の要部断面図
【図６】本発明の第２実施形態に係るドロップインコンロの要部の断面図
【図７】本発明の第２実施形態に係るドロップインコンロの制御回路の説明図
【図８】本発明の第２実施形態に係るドロップインコンロの駆動モータ(81)の配設部の拡大図
【符号の説明】
【００２９】
(4)・・・蓋体
(6)・・・ロック機構
(9)・・・鍋
(12)・・・回動レバー
(30)・・・コンロ天板
(61)・・・蓋係合部
(74)・・・開蓋スイッチ
(75)・・・閉蓋スイッチ
【図１】
2006177633.tif 000003
【図２】
2006177633.tif 000004
【図３】
2006177633.tif 000005
【図４】
2006177633.tif 000006
【図５】
2006177633.tif 000007
【図６】
2006177633.tif 000008
【図７】
2006177633.tif 000009
【図８】
2006177633.tif 000010